(57)【要約】【課題】カテゴリーに対応するＰＯＩを表示する場合、ＰＯＩリスト件数を少なくして目的ＰＯＩを容易に選択できるようにする。【解決手段】入力されたカテゴリーに属するＰＯＩ（Ｐｏｉｎｔ  ｏｆ  Ｉｎｔｅｒｅｓｔ）をリストで表示し、該ＰＯＩリストより行く先のＰＯＩを選択して目的地を入力するナビゲーション装置において、チェーン店を有するＰＯＩは代表名称をＰＯＩリストで表示し、該代表名称が選択された時、チェーン店リストを表示し、チェーン店リストより行く先のＰＯＩを選択して目的地を入力する。【選択図】    図４
2005037127.tif 000002
【特許請求の範囲】
【請求項１】
入力されたカテゴリーに属するＰＯＩ（Ｐｏｉｎｔ  ｏｆ  Ｉｎｔｅｒｅｓｔ）をリストで表示し、該ＰＯＩリストより行く先のＰＯＩを選択して目的地を入力する目的地入力方法において、
チェーン店を有するＰＯＩは代表名称を前記リストで表示し、
該代表名称が選択された時、チェーン店のリストを表示し、
該チェーン店のリストより行く先のＰＯＩを選択する、ことを特徴とする目的地入力方法。
【請求項２】
目的地として選択されたＰＯＩを用いて経路探索する、ことを特徴とする請求項１記載の目的地入力方法。
【請求項３】
前記チェーン店はホテルまたはファーストフードレストランである、ことを特徴とする請求項１記載の目的地入力方法。
【請求項４】
チェーン店のＰＯＩが選択された時、該チェーン点の方角、距離を表示する、ことを特徴とする請求項１記載の目的地入力方法。
【請求項５】
チェーン店の代表名称が選択された時、チェーン店のリストを、リスト中のエントリーがスクロール可能に表示する、ことを特徴とする請求項１記載の目的地入力方法。
【請求項６】
前記チェーン店のリストよりＰＯＩが選択された時、名称、住所、選択ＰＯＩのカテゴリーを表示する、ことを特徴とする請求項５記載の目的地入力方法。
【請求項７】
入力されたカテゴリーに属するＰＯＩ（Ｐｏｉｎｔ  ｏｆ  Ｉｎｔｅｒｅｓｔ）をリストで表示し、該ＰＯＩリストより行く先のＰＯＩを選択して目的地を入力する目的地入力方法において、
予めカテゴリーに対応させて距離順にＰＯＩを表示するか、語順にＰＯＩを表示するか設定しておき、
入力されたカテゴリーに応じてＰＯＩのリストを距離順に、あるいは語順に表示し、
該リストより行く先のＰＯＩを選択して目的地を入力する、ことを特徴とする目的地入力方法。
【請求項８】
目的地として選択されたＰＯＩを用いて経路探索する、ことを特徴とする請求項７記載目的地入力方法。
【請求項９】
ＰＯＩリストのエントリーがスクロール可能に該ＰＯＩリストを距離順に、あるいは語順に表示する、ことを特徴とする請求項７記載目的地入力方法。
【請求項１０】
チェーン店を有するＰＯＩは代表名称を前記リストに表示する、ことを特徴とする請求項７記載目的地入力方法。
【請求項１１】
語順で表示されるＰＯＩリストは、ホテルリスト、公共施設リスト、レクレーション施設リスト、ゴルフ場リストのいずれか１つである、ことを特徴とする請求項７記載目的地入力方法。
【請求項１２】
距離順で表示されるＰＯＩリストは、ＡＴＭリスト、銀行リスト、ファストフード  レストラン  リスト、コンビニーエンス  ストア  リストの１つである、ことを特徴とする請求項７記載目的地入力方法。
【請求項１３】
チェーン店を有するＰＯＩは代表名称を前記リストで表示し、
該代表名称が選択された時、チェーン店のリストを距離順あるいは語順に表示し、
該チェーン店のリストより行く先のＰＯＩを選択する、ことを特徴とする請求項７記載目的地入力方法。
【請求項１４】
入力されたカテゴリーに属するＰＯＩ（Ｐｏｉｎｔ  ｏｆ  Ｉｎｔｅｒｅｓｔ）をリストで表示し、該ＰＯＩリストより行く先のＰＯＩを選択して目的地を入力するナビゲーション装置において、
チェーン店を有するＰＯＩを代表名称で前記リストに表示し、かつ、該代表名称が選択された時、チェーン店のリストを表示するリスト生成ユニット、
該チェーン店のリストより行く先のＰＯＩを選択する入力部、を備えたことを特徴とするナビゲーション装置。
【請求項１５】
目的地として選択されたＰＯＩを用いて経路探索する経路探索手段、を備えたことを特徴とする請求項１４記載のナビゲーション装置。
【請求項１６】
入力されたカテゴリーに属するＰＯＩ（Ｐｏｉｎｔ  ｏｆ  Ｉｎｔｅｒｅｓｔ）をリストで表示し、該ＰＯＩリストより行く先のＰＯＩを選択して目的地を入力するナビゲーション装置において、
カテゴリーに対応させて距離順にＰＯＩを表示するか、語順にＰＯＩを表示するか予め決定するＰＯＩデータベース、
入力されたカテゴリーに応じてＰＯＩのリストを距離順に、あるいは語順に生成するリスト生成ユニット、
該ＰＯＩリストより行く先のＰＯＩを選択して目的地を入力する入力部、を備えたことを特徴とするナビゲーション装置。
【請求項１７】
前記リスト生成ユニットは、チェーン店を有するＰＯＩを代表名称で前記ＰＯＩリストに表示し、かつ、該代表名称が選択された時、距離順あるいは語順にチェーン店リストを表示する、ことを特徴とする請求項１６記載のナビゲーション装置。
【請求項１８】
目的地として選択されたＰＯＩを用いて経路探索する経路探索手段、を備えたことを特徴とする請求項１６記載のナビゲーション装置。
【発明の詳細な説明】
【０００１】
【発明の属する技術分野】
本発明は目的地入力方法及び該方法を用いるナビゲーション装置に係わり、特に、目的地のカテゴリーが入力された時、該カテゴリーに属するＰＯＩ（Ｐｏｉｎｔ  ｏｆ    Ｉｎｔｅｒｅｓｔ）をリストで表示し、該ＰＯＩリストより行く先のＰＯＩを選択して目的地を入力する目的地入力方法及び該方法を用いるナビゲーション装置に関する。
【０００２】
【従来の技術】
車両の走行案内を行い、運転者が所望の目的地に容易に到達できるようにしたナビゲーション装置は、車両の位置を検出してＣＤ−ＲＯＭ、ＤＶＤなどの地図記憶媒体から車両位置周辺の地図データを読み出す。しかる後、ＭＡＰ  ＧＵＩＤＥ  ＭＯＤＥでは、地図及び誘導経路をディスプレイ画面に描画するとともに該地図上の所定箇所に車両位置マークを重ねて描画する。そして、車両の移動により現在位置が変化するに従い、画面の車両位置マークを誘導経路に沿って移動したり、或いは車両位置マークは所定位置に固定して地図をスクロールして、常に、車両位置周辺の詳細地図が一目で判るようになっている。又、ＡＲＲＯＷ  ＧＵＩＤＥモードでは、誘導経路とそれに交差する道路などを簡略表示すると共に交差点における進行方向を矢印で示し、かつ、交差点までの距離、目的地方向、目的地までの距離等を表示し、更に、交差点での進行方向を音声で案内する。
【０００３】
上記ＭＡＰ  ＧＵＩＤＥ  ＭＯＤＥあるいはＡＲＲＯＷ  ＧＵＩＤＥ  ＭＯＤＥで経路案内するには、目的地を入力し、目的地までの誘導経路を探索しなければならない。目的地を入力するには、
（１）  目的地のアドレスを直接入力する方法、
（２）  目的地が交差点の場合、２つのストリートを特定して該交差点を入力する方法、
（３）  目的地であるＰＯＩ（Ｐｏｉｎｔ  ｏｆ  Ｉｎｔｅｒｅｓｔ）  のＰｌａｃｅ  Ｎａｍｅを入力する方法、
（４）  目的地であるＰＯＩのＰｌａｃｅ  Ｔｙｐｅ（ｃａｔｅｇｏｒｙ）を入力してＰｌａｃｅ  Ｎａｍｅ  の候補リストを表示し、該候補リストより目的地であるＰｌａｃｅ  Ｎａｍｅ  を選択する方法、
（５）  最近のｎ個の目的地を表示し、その中から今回の目的地を選択して入力する方法、
（６）  ａｄｄｒｅｓｓ  ｂｏｏｋに予め登録した地点より目的地を選択して入力する方法、
（７）  カーソルで直接地図上の目的地を指示して入力する方法、
（８）  目的地であるＰＯＩの電話番号を入力する方法、
等がある。
【０００４】
（４）の方法で目的地を入力するには、ユーザはリモコンのメニューキーを操作してスクリーンにメインメニューを表示し（図６（ａ）参照）、メインメニューよりメニュー項目”Ｄｅｓｔ”を選択する。これにより、ナビゲーション装置は（ｂ）に示すように目的地入力方法を特定するための”Ｆｉｎｄ  Ｄｅｓｔｉｎａｔｉｏｎ  ｂｙ”画面を表示する。ついで、メニュー項目”Ｐｏｉｎｔ  ｏｆ  Ｉｎｔｅｒｅｓｔ”を選択すれば、ナビゲーション装置は（ｃ）に示すようにメニュー項目”Ｐｌａｃｅ  Ｎａｍｅ”，  ”Ｐｌａｃｅ  Ｔｙｐｅ”を表示するから、メニュー項目”Ｐｌａｃｅ  Ｔｙｐｅ”を  選択する。これにより、ナビゲーション装置は（ｄ）に示すようにカテゴリーのリストである”Ｓｅｌｅｃｔ  Ｃａｔｅｇｏｒｙ”画面を表示する。
【０００５】
カテゴリーリストから所定のカテゴリー（例えばｓｈｏｐｐｉｎｇ）を選択すると、ナビゲーション装置は（ｅ）に示すように都市名を入力させるためのアルファベット／ニューメリックキーボードを表示する。ユーザが都市名の先頭の数スペルを入力すると、該スペルを有する都市名のリストがスクロール可能に表示されるから、このリストより所望の都市名（例えばＣｏｓｔａ  Ｍｅｓａ）を選択し、あるいは、都市名の全スペルを入力する。都市名入力により、ナビゲーション装置は該都市に存在する前記特定されたカテゴリー（ｓｈｏｐｐｉｎｇ）の全ＰＯＩのリストを（ｆ）に示すようにスクロール可能に表示する。ＰＯＩリストから所望のＰＯＩ（例えばＴｒｉａｎｇｌｅ  Ｓｑｕａｒｅ）を選択すれば、該ＰＯＩの名称、住所、電話番号等を（ｇ）に示すように表示する。ＰＯＩが目的地として正しければ、”ＯＫ  ｔｏ  Ｐｒｏｃｅｅｄ”を選択して目的地として確定する。以後、ナビゲーション装置は車両現在位置から目的地までの誘導経路を探索して表示する。
【０００６】
【発明が解決しようとする課題】
ところで、従来、カテゴリー（Ｂａｎｋ、Ｈｏｔｅｌ、ＡＴＭ（ａｕｔｏｍａｔｉｃ  ｔｅｌｌｅｒ  ｍａｃｈｉｎｅ）、Ａｉｒｐｏｒｔ等）を選択すると、選択したカテゴリーに属するＰＯＩを車両位置から距離的に近い順に表示するものであった（ｓｏｒｔｅｄ  ｂｙ  ｄｉｓｔａｎｃｅ）。又、従来、チェーン店を有するカテゴリー、例えばファーストフードレストランを選ぶと、ファーストフードレストランで分類されているマクドナルド、バーガーキング等の各チェーン店を車両位置に近い順に全て表示するものであった。
【０００７】
以上より、チェーン店が多数存在するとＰＯＩリスト件数が多くなり、所望ＰＯＩを表示させるのにスクロール操作回数が増え、操作性が悪い問題が有った。又、  ２００マイル先のホテルに泊まる場合、距離順に出されるので、ずっとスクロールしなければならず、操作性が悪かった。
本発明の第１の目的は、カテゴリーに対応するＰＯＩを表示する場合、  ＰＯＩリスト件数を少なくして目的ＰＯＩを容易に選択できるようにすることである。
本発明の第２の目的は、カテゴリーに応じて距離順に、あるいは語順（例えばアルファベット順）にＰＯＩリストを表示することにより、目的ＰＯＩを容易に入力できるようにすることである。
【０００８】
【課題を解決するための手段】
上記目的は本発明によれば、入力されたカテゴリーに属するＰＯＩ（Ｐｏｉｎｔ  ｏｆ  Ｉｎｔｅｒｅｓｔ）をリストで表示し、該ＰＯＩリストより行く先のＰＯＩを選択して目的地を入力する目的地入力方法において、チェーン店を有するＰＯＩは代表名称を前記リストで表示し、該代表名称が選択された時、チェーン店のリストを表示し、
該チェーン店のリストより行く先のＰＯＩを選択する、ナビゲーション装置における目的地入力方法により達成される。
また、上記目的は本発明によれば、入力されたカテゴリーに属するＰＯＩ（Ｐｏｉｎｔ  ｏｆ  Ｉｎｔｅｒｅｓｔ）をリストで表示し、該ＰＯＩリストより行く先のＰＯＩを選択して目的地を入力する目的地入力方法において、予めカテゴリーに対応させて距離順にＰＯＩを表示するか、語順にＰＯＩを表示するか設定しておき、入力されたカテゴリーに応じてＰＯＩのリストを距離順に、あるいは語順に表示し、該リストより行く先の  ＰＯＩを選択して目的地を入力する、ナビゲーション装置における目的地入力方法により達成される。
また、上記目的は本発明によれば、入力されたカテゴリーに属するＰＯＩ（Ｐｏｉｎｔ  ｏｆ  Ｉｎｔｅｒｅｓｔ）をリストで表示し、該ＰＯＩリストより行く先のＰＯＩを選択して目的地を入力するナビゲーション装置において、チェーン店を有するＰＯＩを代表名称で前記リストに表示し、かつ、該代表名称が選択された時、チェーン店のリストを表示するリスト生成ユニット、該チェーン店のリストより行く先のＰＯＩを選択する入力部、を備えたナビゲーション装置により達成される。
また、上記目的は本発明によれば、入力されたカテゴリーに属するＰＯＩ（Ｐｏｉｎｔ  ｏｆ  Ｉｎｔｅｒｅｓｔ）をリストで表示し、該ＰＯＩリストより行く先のＰＯＩを選択して目的地を入力するナビゲーション装置において、カテゴリーに対応させて距離順にＰＯＩを表示するか、語順にＰＯＩを表示するか予め決定するＰＯＩデータベース、入力されたカテゴリーに応じてＰＯＩのリストを距離順に、あるいは語順に生成するリスト生成ユニット、該ＰＯＩリストより行く先のＰＯＩを選択して目的地を入力する入力部、を備えたナビゲーション装置により達成される。
【０００９】
【発明の実施の形態】
（Ａ）ナビゲーション装置の構成
図１は本発明のナビゲーション装置の構成図である。図中、１１は地図を記憶する地図記憶媒体で、例えばＣＤ−ＲＯＭ、１２はＣＤ−ＲＯＭからの地図情報の読み取りを制御するＣＤ−ＲＯＭ制御部、１３は車両現在位置を測定する位置測定装置であり、移動距離を検出する車速センサー、移動方位を検出するジャイロ、位置計算用ＣＰＵ、ＧＰＳ受信機等で構成されている。１４はＣＤ−ＲＯＭから読出した地図情報を記憶する地図情報メモリ、１５はＣＤ−ＲＯＭから読出したＰＯＩデータベース情報を記憶する  ＰＯＩデータベースメモリである。
【００１０】
１６はメニュー選択操作、拡大／縮小操作、目的地入力操作等を行うリモコン、１７はリモコンインタフェースである。リモコン１６は図２に示すように、ジョイスティック／エンターキー１６ａ、メニューキー１６ｂ、キャンセルキー１６ｃ、ＭＰ／ＲＧ  キー１６ｄ、ズーム／スクロールキー１６ｅ、モニターオン／オフキー１６ｆなどを有している。ジョイスティック／エンターキー１６ａは、カーソルや自車マーク等を地図に対して相対的に８方向に移動したり、所望のメニュー項目を選択する際にメニューバー（ハイライト位置）を移動したりするジョイスティックキーの機能と、カーソル位置を設定入力したり、メニューを選択入力するエンターキーとしての機能を有している。メニューキー１６ｂはメインメニューを表示する際に操作され、キャンセルキー１６ｃは現表示スクリーンをキャンセルしたり、メニューの前画面に戻す際に操作される。ＭＰ／ＲＧ  キー１６ｅは、ＭＡＰ  ＧＵＩＤＥ  ＭＯＤＥとＡＲＲＯＷ  ＧＵＩＤＥ  ＭＯＤＥの切り替えを行う際に操作され、ズーム／スクロールキー１６ｆは地図の拡大／縮小及び各種リストにおけるハイライト位置の上下シフトやスクロールを行う際に操作される。
【００１１】
図１に戻って、１８はナビゲーション装置全体を制御するプロセッサ（ＣＰＵ）、１９は各種制御プログラムを記憶するＲＯＭ、２０は誘導経路など処理結果等を記憶するＲＡＭ、２１は交差点での進行方向の案内を音声で行う音声案内部、２２は地図情報に基づいてＭＡＰ  ＧＵＩＤＥ  画像、ＡＲＲＯＷ  ＧＵＩＤＥ画像を発生するディスプレイコントローラ、２３はディスプレイコントローラで発生した画像を記憶するＶＲＡＭ、２４はメニュー画像／各種リスト画像を発生するメニュー／リスト発生部、２５は合成部、２６はモニター装置、２７はバスである。
【００１２】
（Ｂ）ＰＯＩデータベース構造
ＰＯＩデータベースメモリ１５は、種々のカテゴリー（ホテル、レストラン、空港、駅、ショッピング、スポーツ施設、病院、ゴルフ場等）に対応させて多数のＰＯＩをそれぞれ記憶し、更に、各ＰＯＩに対応させて、ＰＯＩの住所、電話番号、経緯度位置、カテゴリー等を記憶する。図３において、（ａ）はカテゴリーリスト、（ｂ）はカテゴリーのうちＨｏｔｅｌのＰＯＩリスト、（ｃ）はチェーン系列のホテルリスト、（ｄ）は各チェーン店あるいあはＰＯＩの詳細情報リストである。（ａ）のカテゴリーリストには、ＰＯＩリストをスクリーンに表示する際、距離順に表示するか（Ｄ）、語順（例えばアルファベット順）に表示するか（Ａ）の識別情報が付加されている。（ｂ）のＰＯＩリストにおいて、チェーン店を有するＰＯＩは代表名称で表示され、チェーン店を有するか否かはマーク＊で識別できるようになっている。チェーン店を有しないＰＯＩには（ｃ）のチェーン店リストは接続されず、直接ＰＯＩの詳細情報リストが接続される。
【００１３】
（Ｃ）目的地入力処理
（ａ）目的地入力の第１の処理
図４は本発明による目的地入力の第１の処理フローである。
ユーザは図６で説明したリモコン操作によりＰＯＩ及びＰｌａｃｅ  Ｔｙｐｅ  を考慮した目的地探索を行うよう指示する（ステップ１０１）。該指示により、ナビゲーション装置はカテゴリーリストをスクリーンに表示するから（図６（ｄ））、ユーザは所望のカテゴリーを選択する（ステップ１０２）。これにより、ナビゲーション装置は選択されたカテゴリーに属するＰＯＩを距離順あるいはアルファベット順にスクロール可能に表示する。この場合、チェーン店を有するＰＯＩは代表店名称で表示する（ステップ１０３）。
【００１４】
ユーザは所望のＰＯＩをスクロール表示して選択すれば（ステップ１０４）、ナビゲーション装置はＰＯＩデータベース情報を参照して該ＰＯＩがチェーン店を有しているかチェックする（ステップ１０５）。
チェーン点を有していなければ、該ＰＯＩの詳細情報（住所、名称、カテゴリー、ＰＯＩの所在方向矢印、ＰＯＩまでの距離等）を表示する（ステップ１０６）。ただし、方向及び距離は車両の現在位置とＰＯＩ位置とから計算して表示する。ついで、目的ＰＯＩとして確定操作をすれば（ステップ１０７）、選択されたＰＯＩを目的地として経路探索を行う（ステップ１０８）。
【００１５】
一方、ステップ１０５において、選択されたＰＯＩがチェーン店であれば、チェーン店リストをスクロール可能に表示する（ステップ１０９）。ついで、所望のチェーン店（ＰＯＩ）をスクロール表示して選択すれば（ステップ１１０）、該チェーン店（ＰＯＩ）の詳細情報（住所、名称、カテゴリー、ＰＯＩの所在方向矢印、ＰＯＩまでの距離等）を表示する（ステップ１０６）。以後、チェーン店を目的ＰＯＩとして確定操作をすれば（ステップ１０７）、選択されたチェーン店ＰＯＩを目的地として経路探索を行う（ステップ１０８）。
【００１６】
例えば、カテゴリーでファーストフードを選択すると、チェーン店は代表で一つの名称のみＰＯＩリストに表示されるだけであるから、マクドナルド、バーガーキング等は代表で一つ名称しかＰＯＩリストに表示されない。そして、ユーザーが  ＰＯＩリストからマクドナルドを選ぶと、マクドナルドのチェーン店リストが車両位置に近い距離順に表示する。
以上のように、チェーン店はＰＯＩリストに代表名称が表示されるだけであるため、ＰＯＩ数が減少して所望のＰＯＩの選択操作を容易に行うことができる。又、代表名称を選択するとチェーン店リストを表示するから所望のチェーン店を目的地として簡単に入力することができる。
【００１７】
（ｂ）  目的地入力の第２の処理
図５は本発明による目的地入力の第２の処理フローである。
ユーザは図６で説明したリモコン操作によりＰＯＩ及びＰｌａｃｅ  Ｔｙｐｅ  を考慮した目的地探索を行うよう指示する（ステップ２０１）。該指示により、ナビゲーション装置はカテゴリーリストをスクリーンに表示するから（図６（ｄ））、ユーザは所望のカテゴリーを選択する（ステップ２０２）。カテゴリーが選択されれば、ナビゲーション装置は選択されたカテゴリーに付加されている識別情報を参照して距離順に表示するか、語順（アルファベット順）に表示するか判断する（ステップ２０３）。距離順に表示する場合には、選択したカテゴリーに属するＰＯＩを距離順にソートし、ＰＯＩリストを距離順に表示する。各ＰＯＩまでの距離はＰＯＩの位置データ（経緯度）、車両現在位置データを用いて計算できる（ステップ２０４）。
一方、アルファベット順に表示する場合は、選択したカテゴリーに属するＰＯＩをアルファベット順にソートし、リストをアルファベット順に表示する（ステップ２０５）。尚、ＰＯＩリストを表示する際は、チェーン店を代表名称で表示する。
【００１８】
ついで、ユーザは所望のＰＯＩをスクロール表示して選択すれば（ステップ２０６）、ナビゲーション装置はＰＯＩデータベース情報を参照して該ＰＯＩがチェーン店の代表名称であるかチェックする（ステップ２０７）。
チェーン店の代表名称でなければ、該ＰＯＩの詳細情報（住所、名称、カテゴリー、ＰＯＩの所在方向矢印、ＰＯＩまでの距離等）を表示する（ステップ２０８）。ついで、目的ＰＯＩとして確定操作をすれば（ステップ２０９）、選択されたＰＯＩを目的地として経路探索を行う（ステップ２１０）。
一方、ステップ２０７において、選択されたＰＯＩがチェーン店の代表名称であれば、距離順に表示するのか、語順（アルファベット順）に表示するのか、ステップ２０３の判断と同様に行う（ステップ２１１）。
【００１９】
距離順に表示する場合には、チェーン店を距離順にスクロール可能に表示し（ステップ２１２）、アルファベット順に表示する場合には、チェーン店をアルファベット順にスクロール可能に表示する（ステップ２１３）。
ついで、所望のチェーン店（ＰＯＩ）をスクロール表示して選択すれば（ステップ２１４）、該チェーン店（ＰＯＩ）の詳細情報（住所、名称、カテゴリー、ＰＯＩの所在方向矢印、ＰＯＩまでの距離等）を表示する（ステップ２０８）。以後、チェーン店を目的ＰＯＩとして確定操作をすれば（ステップ２０９）、選択されたチェーン店ＰＯＩを目的地として経路探索を行う（ステップ２１０）。
【００２０】
たとえば、カテゴリーがＡＴＭ、銀行、ファーストフード、コンビニストア等の場合は、距離順が望ましい。しかし、カテゴリーがホテル、公共施設、レクレーション施設、ゴルフ場等の場合、アルファベット順が望ましい。本発明によれば、泊まるホテルが決まっている場合（例えばＨｏｌｉｄａｙ  Ｉｎｎ  Ｔｏｒｒａｎｃｅ）、”Ｓｅｌｅｃｔ  Ｃａｔｅｇｏｒｙ”画面（図６（ｄ）参照）でＨｏｔｅｌを選択すると、アルファベット順にホテル名称がリスト表示され、チェーンホテルは代表ホテル名が表示される。そこで、例えば、代表ホテル名称であるＨｏｌｉｄａｙ  Ｉｎｎを選択すると、チェーンホテル名が車両位置から距離順ではなく、アルファベット順にリスト表示される。この結果、遠距離にあるホテルチェーンの一つを目的地として簡単な操作で設定することができる。
以上本発明によれば、カテゴリーに応じて距離順あるいはアルファベット順にＰＯＩリストを表示するからＰＯＩ選択を容易に行うことができる。
【００２１】
・付記
（付記１）  入力されたカテゴリーに属するＰＯＩ（Ｐｏｉｎｔ  ｏｆ  Ｉｎｔｅｒｅｓｔ）をリストで表示し、該ＰＯＩリストより行く先のＰＯＩを選択して目的地を入力する目的地入力方法において、
チェーン店を有するＰＯＩは代表名称を前記リストで表示し、
該代表名称が選択された時、チェーン店のリストを表示し、
該チェーン店のリストより行く先のＰＯＩを選択する、ことを特徴とする目的地入力方法。
（付記２）  目的地として選択されたＰＯＩを用いて経路探索する、ことを特徴とする付記１記載の目的地入力方法。
（付記３）  前記チェーン店はホテルまたはファーストフードレストランである、ことを特徴とする付記１記載の目的地入力方法。
（付記４）  チェーン店のＰＯＩが選択された時、該チェーン点の方角、距離を表示する、ことを特徴とする付記１記載の目的地入力方法。
（付記５）  チェーン店の代表名称が選択された時、チェーン店のリストを、リスト中のエントリーがスクロール可能に表示する、ことを特徴とする付記１記載の目的地入力方法。
（付記６）  前記チェーン店のリストよりＰＯＩが選択された時、名称、住所、選択ＰＯＩのカテゴリーを表示する、ことを特徴とする付記５記載の目的地入力方法。
（付記７）  入力されたカテゴリーに属するＰＯＩ（Ｐｏｉｎｔ  ｏｆ  Ｉｎｔｅｒｅｓｔ）をリストで表示し、該ＰＯＩリストより行く先のＰＯＩを選択して目的地を入力する目的地入力方法において、
予めカテゴリーに対応させて距離順にＰＯＩを表示するか、語順にＰＯＩを表示するか設定しておき、
入力されたカテゴリーに応じてＰＯＩのリストを距離順に、あるいは語順に表示し、
該リストより行く先のＰＯＩを選択して目的地を入力する、ことを特徴とする目的地入力方法。
（付記８）  目的地として選択されたＰＯＩを用いて経路探索する、ことを特徴とする付記７記載目的地入力方法。
（付記９）  ＰＯＩリストのエントリーがスクロール可能に該ＰＯＩリストを距離順に、あるいは語順に表示する、ことを特徴とする付記７記載目的地入力方法。
（付記１０）  チェーン店を有するＰＯＩは代表名称を前記リストに表示する、ことを特徴とする付記７記載目的地入力方法。
（付記１１）  語順で表示されるＰＯＩリストは、ホテルリスト、公共施設リスト、レクレーション施設リスト、ゴルフ場リストのいずれか１つである、ことを特徴とする付記７記載目的地入力方法。
（付記１２）  距離順で表示されるＰＯＩリストは、ＡＴＭリスト、銀行リスト、ファストフード  レストラン  リスト、コンビニーエンス  ストア  リストの１つである、ことを特徴とする付記７記載目的地入力方法。
（付記１３）  チェーン店を有するＰＯＩは代表名称を前記リストで表示し、
該代表名称が選択された時、チェーン店のリストを距離順あるいは語順に表示し、
該チェーン店のリストより行く先のＰＯＩを選択する、ことを特徴とする付記７記載目的地入力方法。
（付記１４）  入力されたカテゴリーに属するＰＯＩ（Ｐｏｉｎｔ  ｏｆ  Ｉｎｔｅｒｅｓｔ）をリストで表示し、該ＰＯＩリストより行く先のＰＯＩを選択して目的地を入力するナビゲーション装置において、
チェーン店を有するＰＯＩを代表名称で前記リストに表示し、かつ、該代表名称が選択された時、チェーン店のリストを表示するリスト生成ユニット、
該チェーン店のリストより行く先のＰＯＩを選択する入力部、を備えたことを特徴とするナビゲーション装置。
（付記１５）  目的地として選択されたＰＯＩを用いて経路探索する経路探索手段、を備えたことを特徴とする付記１４記載のナビゲーション装置。
（付記１６）  入力されたカテゴリーに属するＰＯＩ（Ｐｏｉｎｔ  ｏｆ  Ｉｎｔｅｒｅｓｔ）をリストで表示し、該ＰＯＩリストより行く先のＰＯＩを選択して目的地を入力するナビゲーション装置において、
カテゴリーに対応させて距離順にＰＯＩを表示するか、語順にＰＯＩを表示するか予め決定するＰＯＩデータベース、
入力されたカテゴリーに応じてＰＯＩのリストを距離順に、あるいは語順に生成するリスト生成ユニット、
該ＰＯＩリストより行く先のＰＯＩを選択して目的地を入力する入力部、を備えたことを特徴とするナビゲーション装置。
（付記１７）  前記リスト生成ユニットは、チェーン店を有するＰＯＩを代表名称で前記ＰＯＩリストに表示し、かつ、該代表名称が選択された時、距離順あるいは語順にチェーン店リストを表示する、ことを特徴とする付記１６記載のナビゲーション装置。
（付記１８）  目的地として選択されたＰＯＩを用いて経路探索する経路探索手段、を備えたことを特徴とする付記１６記載のナビゲーション装置。
以上、本発明を実施例により説明したが、本発明は請求の範囲に記載した本発明の主旨に従い種々の変形が可能であり、本発明はこれらを排除するものではない。
【００２２】
【発明の効果】
本発明よれば、（１）  チェーン店を有するＰＯＩは代表名称をリストで表示し、（２）該代表名称が選択された時、チェーン店のリストを表示し、（３）  該チェーン店のリストより行く先のＰＯＩを選択するようにしたから、カテゴリーに対応するＰＯＩを表示する際、表示するＰＯＩリスト件数を少なくして目的ＰＯＩを容易に選択することができる。
また、本発明によれば、予めカテゴリーに対応させて距離順にＰＯＩを表示するか、アルファベット順にＰＯＩ表示するか設定しておき、入力されたカテゴリーに応じてＰＯＩのリストを距離順に、あるいは語順に表示し、該リストより行く先の  ＰＯＩを選択して目的地を入力するようにしたから、カテゴリーに応じて距離順に、あるいは語順（例えばアルファベット順）にＰＯＩリストを表示して目的ＰＯＩを容易に入力することができる。
【図面の簡単な説明】
【図１】本発明のナビゲーション装置の構成図である。
【図２】リモコン説明図である。
【図３】ＰＯＩデータベースの説明図である。
【図４】本発明の第１の目的地入力処理フローである。
【図５】本発明の第２の目的地入力処理フローである。
【図６】ＰＯＩのカテゴリーに基づいて目的地を入力する操作の説明図である。
【符号の説明】
１１・・ＣＤ−ＲＯＭ
１４・・地図情報メモリ
１５・・ＰＯＩデータベース
１６・・リモコン
１８・・ナビゲーション装置全体を制御するプロセッサ（ＣＰＵ）
２２・・ディスプレイコントローラ
２６・・モニター装置
【図１】
2005037127.tif 000003
【図２】
2005037127.tif 000004
【図３】
2005037127.tif 000005
【図４】
2005037127.tif 000006
【図５】
2005037127.tif 000007
【図６】
2005037127.tif 000008